(57)【要約】【課題】プレゼンテーターの空間的な移動を低減し、他の表示装置への画面表示の切り替えや、表示したデータの編集を容易且つ直感的に行えるマルチディスプレイの制御方法、制御プログラムおよび制御装置を提供する。【解決手段】タッチパネル１０と表示部２０とを有するマスタ表示装置１００と、表示部を有する（少なくとも１つの）スレーブ表示装置２００、３００、４００と、マスタ表示装置１００およびスレーブ表示装置２００、３００、４００と接続して、マスタ表示装置１００のタッチパネル１０からの入力に基づいてマスタ表示装置１００およびスレーブ表示装置２００、３００、４００の表示に係る制御を行う制御装置１５０と、を備える。【選択図】図４
2009198734.tif 000002
【特許請求の範囲】
【請求項１】
タッチパネルと表示部とを有するマスタ表示装置と、表示部を有する少なくとも１つのスレーブ表示装置と、を備えるマルチディスプレイに対して、前記マスタ表示装置のタッチパネルからの入力に基づいて前記マスタ表示装置および前記スレーブ表示装置の表示に係る制御を行うマルチディスプレイの制御方法であって、
前記マスタ表示装置から所望の前記スレーブ表示装置への表示の移動の入力を検知するステップと、
前記マスタ表示装置の現在の画面表示に係る画像情報を取得し、取得した画像情報を所望の前記スレーブ表示装置に送出するステップと、を含むことを特徴とするマルチディスプレイの制御方法。
【請求項２】
さらに、前記マスタ表示装置の前記現在の画面表示を最小化するステップを含むことを特徴とする請求項１に記載のマルチディスプレイの制御方法。
【請求項３】
さらに、所望の前記スレーブ表示装置の現在の画面表示に係る画像情報を、前記マスタ表示装置に送出するステップと、
所望の前記スレーブ表示装置の現在の画面表示に係る画像情報の送出を停止するステップと、を含むことを特徴とする請求項１又は２に記載のマルチディスプレイの制御方法。
【請求項４】
さらに、所望の前記スレーブ表示装置に、前記現在の画面表示の一つ前の画面表示に係る画像情報を送出するステップを含むことを特徴とする請求項３に記載のマルチディスプレイの制御方法。
【請求項５】
さらに、前記マスタ表示装置および前記スレーブ表示装置の画面表示の履歴に係る情報を時系列で記憶するステップを含むことを特徴とする請求項１〜４のいずれか一項記載のマルチディスプレイの制御方法。
【請求項６】
タッチパネルと表示部とを有するマスタ表示装置と、表示部を有する少なくとも１つのスレーブ表示装置と、を備えるマルチディスプレイに対して、前記マスタ表示装置のタッチパネルからの入力に基づいて前記マスタ表示装置および前記スレーブ表示装置の表示に係る制御の各手順をコンピュータに実行させるためのマルチディスプレイの制御プログラムであって、
前記マスタ表示装置から所望の前記スレーブ表示装置への表示の移動の入力を検知するステップと、
前記マスタ表示装置の現在の画面表示に係る画像情報を取得し、取得した画像情報を所望の前記スレーブ表示装置に送出するステップと、を含むことを特徴とするマルチディスプレイの制御プログラム。
【請求項７】
タッチパネルと表示部とを有するマスタ表示装置と、
表示部を有する少なくとも１つのスレーブ表示装置と、
前記マスタ表示装置および前記スレーブ表示装置と接続して、前記マスタ表示装置のタッチパネルからの入力に基づいて前記マスタ表示装置および前記スレーブ表示装置の表示に係る制御を行う制御装置と、を備えることを特徴とするマルチディスプレイ装置。
【請求項８】
前記制御装置は、
前記マスタ表示装置から所望の前記スレーブ表示装置への表示の移動の入力と、所望の前記スレーブ表示装置から前記マスタ表示装置への表示の移動の入力と、を検知する入力検知部と、
前記マスタ表示装置の現在の画面表示に係る画像情報を取得する画像取得部と、
取得した画像情報を所望の前記スレーブ表示装置に送出し、所望の前記スレーブ表示装置の現在の画面表示に係る画像情報を、前記マスタ表示装置に送出し、所望の前記スレーブ表示装置の現在の画面表示に係る画像情報の送出を停止する画像送出・送出停止部と、を有することを特徴とする請求項７に記載のマルチディスプレイ装置。
【請求項９】
前記マスタ表示装置の前記現在の画面表示を最小化又は最大化する表示最小化・最大化部を有することを特徴とする請求項８に記載のマルチディスプレイ装置。
【請求項１０】
前記マスタ表示装置および前記スレーブ表示装置の画面表示の履歴に係る情報を時系列で記憶する表示履歴記憶部を有することを特徴とする請求項８又は９に記載のマルチディスプレイ装置。
【発明の詳細な説明】
【技術分野】
【０００１】
本発明は、マルチディスプレイの制御方法、制御プログラムおよびマルチディスプレイ装置に関する。
【背景技術】
【０００２】
会議や授業等において、各種の視聴覚機器を用いたプレゼンテーションの重要性が増すなか、訴求力・演出力の高いプレゼンテーションが求められるようになっている。ディスプレイも大画面化が図られてはいるが、１つのディスプレイの画面サイズを上回る大きな表示画面を必要とする場合、複数のディスプレイを縦横に配置したマルチディスプレイを使用することも多い。
【０００３】
図１は、複数の表示装置を縦横に配置したマルチディスプレイの従来構成例を示す模式図である。図の例は、同一の表示装置を上下左右に４台配置した構成で、各表示装置はマウス機能を有するタッチパネルを搭載しており、それぞれの表示装置においてタッチパネル上で表示の制御が可能となっている。
【０００４】
【特許文献１】特開２００１−３０６６３１号公報
【発明の開示】
【発明が解決しようとする課題】
【０００５】
図１に示すような、従来のマルチディスプレイでは、例えば、プレゼンテーターが表示装置Ｄ５４０で説明を行っていて、次に表示装置Ａ５１０の表示について説明を行う場合、表示装置Ａ５１０近傍へ移動してそのタッチパネルを操作して説明を行うのが一般的であった。つまり、用いる表示の場所まで移動せねばならず、プレゼンテーションのための動作が煩雑で、見栄え上も好ましくないという問題があった。特に、表示装置が大型であるような場合、表示装置Ａ５１０が高い操作し難い位置に設置される可能性もある。
【０００６】
一方、いわゆる電子黒板機能を有するディスプレイでも、１つのディスプレイに書き込めるスペースには限りがあるため、ディスプレイを上下左右に重ねて使用するニーズが発生しうるが、直前の板書データを表示しつつ次の板書を行う場合、他のディスプレイへの板書データの移動や、表示装置間の映像出力の切り替え、といった煩雑な制御動作が必要になるという問題があった。
【０００７】
更に、従来のマルチディスプレイでは、各表示装置でタッチパネル操作を行うので表示装置台数分のタッチパネルが必要となりマルチディスプレイとしてのコストが比較的高いという問題もあった。
【０００８】
上記の問題に鑑みれば、１つの表示装置のタッチパネル上でその他すべての表示装置に係る表示の制御までを行うことができれば、プレゼンテーターが移動する必要もなく、また、操作不要なタッチパネルを削除することでマルチディスプレイとしての製造コストが削減され、課題を解決できると考えられる。
【０００９】
具体的な制御内容としては、タッチパネルを搭載するメインの表示装置の現在の表示内容（または編集内容）を簡単なタッチパネル操作でそのまま別の表示装置へ移動させたり、別の表示装置の現在の表示内容をメインの表示装置へ逆に移動させてタッチパネル操作により編集等を行ったりする、という表示装置間の表示の移動（または入れ替え）等が容易に行える表示制御であることが望ましい。
【００１０】
パーソナルコンピュータなどの制御装置に複数のディスプレイを接続して複数の情報を表示する例は従来より存在するが（例えば、特許文献１参照）、表示の移動等を容易にする目的の制御装置、またはそれを含むマルチディスプレイシステム等はこれまで皆無であった。特に、制御装置に付属するキーボードなどではなく、表示された部分をそのまま操作してマルチディスプレイの表示の移動や入れ替えを容易に行うという制御方法はこれまでに提案されていない。
【００１１】
このような制御方法が実現されれば、プレゼンテーターは表示装置間を移動することなく、自身の容易な操作でマルチディスプレイの表示を制御できるため、プレゼンテーションを円滑に進行させることができる。また、プレゼンテーターの進行に合わせて、遠隔の制御装置から表示の制御を行うような人員も不要となるため、プレゼンテーションの省力化にも貢献できる。
【００１２】
本発明が解決しようとする課題としては、マルチディスプレイを用いたプレゼンテーションにおいて、操作入力を一の表示装置に固定することにより、プレゼンテーターの空間的な移動を低減し、他の表示装置への画面表示の切り替えや、表示したデータの編集を容易且つ直感的に行えるマルチディスプレイの制御方法、制御プログラムおよびマルチディスプレイ装置を提供することが一例として挙げられる。
【課題を解決するための手段】
【００１３】
請求項１に記載のマルチディスプレイの制御方法は、タッチパネルと表示部とを有するマスタ表示装置と、表示部を有する少なくとも１つのスレーブ表示装置と、を備えるマルチディスプレイに対して、前記マスタ表示装置のタッチパネルからの入力に基づいて前記マスタ表示装置および前記スレーブ表示装置の表示に係る制御を行うマルチディスプレイの制御方法であって、
前記マスタ表示装置から所望の前記スレーブ表示装置への表示の移動の入力を検知するステップと、
前記マスタ表示装置の現在の画面表示に係る画像情報を取得し、取得した画像情報を所望の前記スレーブ表示装置に送出するステップと、を含むことを特徴とする。
【００１４】
請求項６に記載のプログラムは、タッチパネルと表示部とを有するマスタ表示装置と、表示部を有する少なくとも１つのスレーブ表示装置と、を備えるマルチディスプレイに対して、前記マスタ表示装置のタッチパネルからの入力に基づいて前記マスタ表示装置および前記スレーブ表示装置の表示に係る制御の各手順をコンピュータに実行させるためのマルチディスプレイの制御プログラムであって、
前記マスタ表示装置から所望の前記スレーブ表示装置への表示の移動の入力を検知するステップと、
前記マスタ表示装置の現在の画面表示に係る画像情報を取得し、取得した画像情報を所望の前記スレーブ表示装置に送出するステップと、を含むことを特徴とする。
【００１５】
請求項７に記載のマルチディスプレイ装置は、タッチパネルと表示部とを有するマスタ表示装置と、
表示部を有する少なくとも１つのスレーブ表示装置と、
前記マスタ表示装置および前記スレーブ表示装置と接続して、前記マスタ表示装置のタッチパネルからの入力に基づいて前記マスタ表示装置および前記スレーブ表示装置の表示に係る制御を行う制御装置と、を備えることを特徴とする。
【発明を実施するための最良の形態】
【００１６】
以下、本発明に係るマルチディスプレイ装置及びマルチディスプレイの制御方法の実施の形態について、図面を参照して詳細に説明する。図２は、本発明の実施の形態に係るマルチディスプレイ装置の一例を示すブロック図である。図３は、本発明の実施の形態に係るマルチディスプレイ装置の制御装置の機能ブロック図である。
【００１７】
本実施の形態に係るマルチディスプレイ装置は、図２に示すように、マスタ表示装置１００と、制御装置１５０と、（少なくとも１つの）スレーブ表示装置２００、３００、４００と、で構成されている。マスタ表示装置１００は、タッチパネル１０と表示部２０を備えている。タッチパネル１０は、例えば、表示部２０の枠に着脱可能としてもよく、赤外線等の光センサーを含む位置センサー、またはシート状に配置された圧電素子などの接触センサーを装備したものなどで構成され、ディスプレイ表面に接近または接触させたペン先や指の位置を検知することができる。
【００１８】
マスタ表示装置１００は、プレゼンテーターが、入力手段としてのタッチパネル１０を操作し、各種の表示制御を行うためのメインの表示装置である。スレーブ表示装置２００、３００、４００は、タッチパネル１０からの表示に係る指示に基づいて制御装置１５０が送出する画像情報を表示する表示装置である。具体的には、マスタ表示装置１００で取得された静止画像が表示される。
【００１９】
制御装置１５０は、マルチディスプレイの表示に係る制御を統括して行う制御部である。制御装置１５０は、マスタ表示装置１００を含む表示装置台数分の映像出力端子を有し、各映像出力に別々の出力機能を有する。制御装置１５０は、図３に示すように、主に、入力検知部１５１と、表示切替部１５２と、表示履歴記憶部１５６と、を有している。
【００２０】
入力検知部１５１は、タッチパネル１０からの入力を検知する。表示切替部１５２は、マスタ表示装置１００およびスレーブ表示装置２００、３００、４００の各表示装置の表示の切り替えに係る制御を行う。具体的には、次の各機能部により以下のような動作を行う。
【００２１】
画像取得部１５３は、各スレーブ表示装置へ送出するための静止画像の取得（画像キャプチャ）を行う。取得する静止画像は、マスタ表示装置１００で現在表示中の画像である。後述する画面表示を移動させるためのタッチパネル上の操作をトリガとして取得が開始される。画像送出・送出停止部１５４は、取得した画像情報の送出および送出の停止を行う。表示最小化・最大化部１５５は、各表示装置へ送出する画像情報の画面上における最小化表示・最大化表示を選択する。
【００２２】
表示履歴記憶部１５６は、マスタ表示装置１００およびスレーブ表示装置２００、３００、４００の各表示装置で表示した画像の表示履歴を記憶するメモリである。表示履歴情報を参照することにより、過去の表示状態を再生することができる。
【００２３】
なお、制御装置１５０は、汎用のオペレーティングシステム１５７およびアプリケーション１５８を含み、マスタ表示装置１００のタッチパネル１０を介して画面上の操作でアプリケーションの起動やデータ編集等を行うことができる。アプリケーション１５８とは、テキストエディタや表計算ソフトなどの汎用アプリケーションのほか、本発明に係る制御方法を実現するためのＧＵＩ等のプログラムも含まれる。
【００２４】
次に、本発明に係るマルチディスプレイの制御方法の実施の形態について説明する。
まず、本発明の第１の実施形態に係るマルチディスプレイの制御方法について詳細に説明する。図４は、本発明の第１の実施形態に係るマルチディスプレイの制御方法における制御手順を示すフローチャートである。
はじめに、制御装置１５０の入力検知部１５１は、タッチパネル１０を介して、マスタ表示装置１００からスレーブ表示装置２００、３００、４００のいずれかへの画面表示の移動に係る操作が行われたか否かを検知する（ステップＳ１０１）。画面表示の移動に係る操作の具体例については後述する。操作を検知した場合、表示切替部１５２の画像取得部１５３は、これをトリガとしてマスタ表示装置１００の現在の画面表示をキャプチャして画像情報（静止画像）を取得する（ステップＳ１０２）。そして、取得した画像情報を、タッチパネルを介した操作で指定されたスレーブ表示装置へ出力する（ステップＳ１０３）。
【００２５】
図５は、図４のフローチャートに示す制御動作手順が実行された際のマスタ表示装置およびスレーブ表示装置の画面表示の変化の様子（ａ），（ｂ）を示す模式図である。
なお、図では説明の便宜のため、スレーブ表示装置として表示装置３００のみ記載している。
【００２６】
図５（ａ）の状態のときに、プレゼンテーターがマスタ表示装置１００のタッチパネル１０を操作して、「ＪＫＬ」というマスタ表示装置１００の画面表示をスレーブ表示装置３００へ移動させる旨の命令を行うと、制御装置１５０は、マスタ表示装置１００の現在の画面表示「ＪＫＬ」をキャプチャして、静止画像としてスレーブ表示装置３００へ出力する。スレーブ表示装置３００には、マスタ表示装置１００と同じ「ＪＫＬ」という静止画像が表示される（図５（ｂ））。
【００２７】
プレゼンテーターは、マスタ表示装置１００に表示されている「ＪＫＬ」が、例えばテキストエディタアプリケーションを用いて書いた文字データである場合、これに文字を追記したり描画を行うなどの編集がタッチパネルを介して行えるので、上下のデータを比較しながらプレゼンテーションを行うような場合の表示に効果的である。
なお、スレーブ表示装置３００に表示されている「ＪＫＬ」はキャプチャされた静止画像であるので、これを編集することはできない。
【００２８】
次に、本発明の第２の実施形態に係るマルチディスプレイの制御方法について詳細に説明する。図６は、本発明の第２の実施形態に係るマルチディスプレイの制御方法における制御手順を示すフローチャートである。
【００２９】
フローチャートのステップＳ２０１からＳ２０３までは、第１の実施形態の図４のフローチャートにおけるステップＳ１０１からＳ１０３までと同じであるため、説明を省略する。次に、制御装置１５０の表示切替部１５２は、マスタ表示装置１００においてデスクトップにアプリケーションウィンドウを表示する画像出力を行っていたか否かを判断し（ステップＳ２０４）、表示していた場合、アプリケーション名、座標位置などの表示履歴情報を表示履歴記憶部１５６に保存する（ステップＳ２０５）。そして、表示最小化・最大化部１５５は、当該アプリケーションの画像出力においてウィンドウの最小化表示を命令する（ステップＳ２０６）。
【００３０】
図７は、図６のフローチャートに示す制御動作手順が実行された際のマスタ表示装置およびスレーブ表示装置の画面表示の変化の様子（ａ），（ｂ），（ｃ）を示す模式図である。
なお、図では説明の便宜のため、スレーブ表示装置として表示装置３００のみ記載している。
【００３１】
図７（ａ）の状態のときに、プレゼンテーターがマスタ表示装置１００のタッチパネル１０を操作して、「ＪＫＬ」というマスタ表示装置１００の画面表示をスレーブ表示装置３００へ移動させる旨の命令を行うと、制御装置１５０は、マスタ表示装置１００の現在の画面表示「ＪＫＬ」をキャプチャして、静止画像としてスレーブ表示装置３００へ出力する。スレーブ表示装置３００には、マスタ表示装置１００と同じ「ＪＫＬ」という静止画像が表示される（図７（ｂ））。
【００３２】
ほぼ同時に、マスタ表示装置１００で「ＪＫＬ」を表示していたアプリケーション（例えばテキストエディタ）のウィンドウが、表示最小化・最大化部１５５により最小化表示され、デスクトップ画面表示となる（図７（ｃ））。マスタ表示装置１００にあった「ＪＫＬ」の表示が消失し、スレーブ表示装置３００に表示され、視覚上は移動したように見えるので、直感的に把握しやすく、単に表示内容を下から上へ移動させるような場合の表示において効果的である。
【００３３】
次に、図６のフローチャートに戻り、ステップＳ２０４においてマスタ表示装置１００のデスクトップにアプリケーションウィンドウが表示されていなかった場合、表示切替部１５２は、次に、マスタ表示装置１００で電子黒板アプリケーションを起動中であるか否かを判断する（ステップＳ２０７）。電子黒板アプリケーションを起動中である場合、画像送出・送出停止部１５４は、新規ページ（白紙画面）を出力する（ステップＳ２０８）。
【００３４】
図８は、図６のフローチャートに示す制御動作手順が実行された際のマスタ表示装置およびスレーブ表示装置の画面表示の変化の様子（ａ），（ｂ），（ｃ）を示す模式図である。
なお、図では説明の便宜のため、スレーブ表示装置として表示装置３００のみ記載している。
【００３５】
図８（ａ）の状態のときに、プレゼンテーターがマスタ表示装置１００のタッチパネル１０を操作して、「ＪＫＬ」というマスタ表示装置１００の画面表示をスレーブ表示装置３００へ移動させる旨の命令を行うと、制御装置１５０は、マスタ表示装置１００の現在の画面表示「ＪＫＬ」をキャプチャして、静止画像としてスレーブ表示装置３００へ出力する。スレーブ表示装置３００には、マスタ表示装置１００と同じ「ＪＫＬ」という静止画像が表示される（図８（ｂ））。
【００３６】
ほぼ同時に、電子黒板アプリケーションの新規ページウィンドウ（白紙画面）が画像送出・送出停止部１５４よりマスタ表示装置１００へ出力される（図８（ｃ））。マスタ表示装置１００にあった「ＪＫＬ」の表示が消失し、スレーブ表示装置３００に表示され、視覚上は移動したように見えるので、直感的に把握しやすく、上下２枚の擬似的な黒板において下の板書内容を上方へ移動させるような場合の表示において効果的である。
【００３７】
なお、図６のフローチャートのステップＳ２０７において、電子黒板アプリケーションを起動していない場合、画像送出・送出停止部１５４は、同じ画像情報を出力する（ステップＳ２０９）。これは、第１の実施形態における図５に示す画像表示状態と同じである。
【００３８】
次に、本発明の第３の実施形態に係るマルチディスプレイの制御方法について詳細に説明する。図９は、本発明の第３の実施形態に係るマルチディスプレイの制御方法における制御手順を示すフローチャートである。
【００３９】
はじめに、制御装置１５０の入力検知部１５１は、タッチパネル１０を介して、スレーブ表示装置２００、３００、４００のいずれかからマスタ表示装置１００への画面表示の移動に係る操作が行われたか否かを検知する（ステップＳ３０１）。画面表示の移動に係る操作の具体例については後述する。操作を検知した場合、表示切替部１５２は、これをトリガとして表示履歴記憶部１５６に保存された表示履歴情報を参照して、該当する画像情報（アプリケーション）をマスタ表示装置１００に出力する（ステップＳ３０２）。
【００４０】
図１０は、図９のフローチャートに示す制御動作手順が実行された際のマスタ表示装置およびスレーブ表示装置の画面表示の変化の様子（ａ），（ｂ）を示す模式図である。
なお、図では説明の便宜のため、スレーブ表示装置として表示装置３００のみ記載している。
【００４１】
図１０（ａ）の状態のときに、プレゼンテーターがマスタ表示装置１００のタッチパネル１０を操作して、「ＤＥＦ」というスレーブ表示装置３００の画面表示をマスタ表示装置１００へ移動させる旨の命令を行うと、表示切替部１５２は、表示履歴記憶部１５６で、過去に「ＤＥＦ」という静止画像をキャプチャした際のマスタ表示装置１００における表示履歴情報を照会する。
【００４２】
「ＤＥＦ」が、例えばテキストエディタアプリケーションを用いて書いた文字データであり、当該テキストエディタアプリケーションがマスタ表示装置１００において最小化表示されていた場合、画像送出・送出停止部１５４は、当該アプリケーションの画像情報をマスタ表示装置１００に出力し、表示最小化・最大化部１５５は最大化表示を指定する。
【００４３】
スレーブ表示装置３００には、マスタ表示装置１００と同じ「ＤＥＦ」という静止画像が表示されたままである（図１０（ｂ））。プレゼンテーターは、マスタ表示装置１００に復元された「ＤＥＦ」に文字を追記したり描画を行うなどの編集が行えるので、上下のデータを比較しながらプレゼンテーションを行うような場合の表示に効果的である。なお、スレーブ表示装置３００に表示されている「ＤＥＦ」はキャプチャされた静止画像であるので、これを編集することはできない。
【００４４】
次に、本発明の第４の実施形態に係るマルチディスプレイの制御方法について詳細に説明する。図１１は、本発明の第４の実施形態に係るマルチディスプレイの制御方法における制御手順を示すフローチャートである。
【００４５】
フローチャートのステップＳ４０１からＳ４０２までは、第３の実施形態の図９のフローチャートにおけるステップＳ３０１からＳ３０２までと同じであるため、説明を省略する。次に、制御装置１５０の表示切替部１５２は、スレーブ表示装置３００にそのまま同じ画像情報を出力する設定であるか否かを判断する（ステップＳ４０３）。
【００４６】
同じ画像情報を出力する設定である場合、画像送出・送出停止部１５４は、同じ画像情報を出力する（ステップＳ４０４）。これは、実施の形態３における図１０に示す画像表示状態と同じである。
【００４７】
一方、同じ画像情報を出力する設定でない場合（ステップＳ４０３のＮｏ）、表示切替部１５２は、スレーブ表示装置３００において「ＤＥＦ」を表示する一つ前の画面表示に係る表示履歴情報が表示履歴記憶部１５６に保存されているか否かを照会する（ステップＳ４０５）。表示履歴情報が保存されている場合、画像送出・送出停止部１５４は、履歴情報に基づいて、一つ前の静止画像情報をスレーブ表示装置３００に出力する（ステップＳ４０６）。
【００４８】
図１２は、図１１のフローチャートに示す制御動作手順が実行された際のマスタ表示装置およびスレーブ表示装置の画面表示の変化の様子（ａ），（ｂ），（ｃ）を示す模式図である。
なお、図では説明の便宜のため、スレーブ表示装置として表示装置３００のみ記載している。
【００４９】
図１２（ａ）の状態のときに、プレゼンテーターがマスタ表示装置１００のタッチパネル１０を操作して、「ＤＥＦ」というスレーブ表示装置３００の静止画像表示をマスタ表示装置１００へ移動させる旨の命令を行うと、制御装置１５０は、表示履歴記憶部１５６の表示履歴に基づいて、例えば、最小化表示していた「ＤＥＦ」の画面表示に係るアプリケーションをマスタ表示装置１００において最大化表示するための画像表示出力を行う（図１２（ｂ））。
【００５０】
そして、表示履歴記憶部１５６への照会結果から、スレーブ表示装置３００で「ＤＥＦ」の静止画像表示が行われる前に「ＸＹＺ」という静止画像表示が行われていたことが追跡できた場合、スレーブ表示装置３００には、「ＸＹＺ」という静止画像情報が出力される（図１２（ｃ））。
【００５１】
スレーブ表示装置３００にあった「ＤＥＦ」の表示が消失し、マスタ表示装置１００に表示され、視覚上は移動したように見える。その際、スレーブ表示装置３００において一つ前に表示されていた静止画像に画面表示が切り替わり、下に隠れていた画像が再び現れたような表示となるので、直感的に把握しやすく、単に表示内容を上から下へ移動させるような場合の表示において効果的である。
【００５２】
次に、図１１のフローチャートに戻り、ステップＳ４０５において、スレーブ表示装置３００に係る一つ前の表示履歴情報が保存されていない場合、画像送出・送出停止部１５４は、スレーブ表示装置３００への画像情報の出力を停止する（ステップＳ４０７）。
【００５３】
図１３は、図１１のフローチャートに示す制御動作手順が実行された際のマスタ表示装置およびスレーブ表示装置の画面表示の変化の様子（ａ），（ｂ），（ｃ）を示す模式図である。
なお、図では説明の便宜のため、スレーブ表示装置として表示装置３００のみ記載している。
【００５４】
図１３（ａ）の状態のときに、プレゼンテーターがマスタ表示装置１００のタッチパネル１０を操作して、「ＤＥＦ」というスレーブ表示装置３００の静止画像表示をマスタ表示装置１００へ移動させる旨の命令を行うと、制御装置１５０は、表示履歴記憶部１５６の表示履歴に基づいて、例えば、最小化表示していた「ＤＥＦ」の画面表示に係るアプリケーションをマスタ表示装置１００において最大化表示するための画像情報出力を行う（図１３（ｂ））。
【００５５】
そして、スレーブ表示装置３００への画像情報出力が停止される。スレーブ表示装置３００にあった「ＤＥＦ」の表示が消失し、マスタ表示装置１００に表示され（図１３（ｃ））、視覚上は移動したように見えるので、直感的に把握しやすく、単に表示内容を上から下へ移動させるような場合の表示において効果的である。
【００５６】
ここで、画面表示の移動に係るタッチパネル上の操作について説明する。プレゼンテーターは、タッチパネル１０に所定の入力操作を行って表示装置間で画面表示を移動させるための命令を実行する。タッチパネル１０では、その他にも文字や描画の入力等も行うため、画面表示の移動の指示は簡易且つ直感的な操作によって実行されることが好ましい。以下にその操作例を示す。
【００５７】
図１４は、画面上にＧＵＩ（Graphical User Interface）アイコンを表示して画面表示の移動を実行する例を示す模式図である。
図１４において、プレゼンテーターがタッチパネル１０の↑矢印ボタン部分をタッチすると、上記の制御手順により、マスタ表示装置１００の画面表示がスレイブ表示装置へ移動する。同様に、↓矢印ボタン部分をタッチするとスレーブ表示装置３００の画面表示がマスタ表示装置１００へ移動する。
【００５８】
次に、図１５は、タッチパネル上の特定の操作（ジェスチャー）で画面表示の移動を実行する例を示す模式図である。図の例では、タッチパネル上で、下から上へ指または専用ペンを動かすことにより、マスタ表示装置１００の画面表示がスレイブ表示装置へ移動する。但し、この時、特定のジェスチャーは通常のマウス操作と異なるものであることが識別できなければならない。識別可能な操作例としては、タッチパネルドライバが２地点以上を認識したときのみ移動のための操作であると判断する、指２本または３本などで動かした場合のみ移動のための操作であると判断する、タッチパネル専用ペンに表示切替専用ボタンを設け、それが押下された状態で操作した場合のみ移動のための操作であると判断する、図１６に示すように、特定の座標エリアから座標エリアまで、ＸＸcm/sec（所定の速度）以上の移動速度で動作した場合のみ移動のための操作であると判断する、などが考えられる。
【００５９】
なお、上記実施の形態において、表示履歴記憶部１５６に保存される表示履歴情報は、少なくとも、アプリケーション名、座標位置、表示装置ＩＤ、画像データを含む情報である。
【００６０】
また、上記実施の形態では、スレーブ表示装置を３台とする構成としたが、スレーブ表示装置は何台であってもかまわない。また、本実施の形態では、制御装置１５０を独立した構成単位としたが、制御装置１５０をマスタ表示装置１００に含める構成としてもよい。
【００６１】
以上、詳述したように、本実施の形態に係るマルチディスプレイの制御方法及びそのプログラムは、タッチパネル１０と表示部２０とを有するマスタ表示装置１００と、表示部を有する（少なくとも１つの）スレーブ表示装置２００、３００、４００と、を備えるマルチディスプレイに対して、マスタ表示装置１００のタッチパネル１０からの入力に基づいてマスタ表示装置１００およびスレーブ表示装置２００、３００、４００の表示に係る制御を行うマルチディスプレイの制御方法（あるいは、マルチディスプレイの制御プログラム）であり、マスタ表示装置１００から所望のスレーブ表示装置（２００、３００、４００のいずれか）への表示の移動の入力を検知するステップ（ステップＳ１０１）と、マスタ表示装置１００の現在の画面表示に係る画像情報を取得し、取得した画像情報を所望のスレーブ表示装置（２００、３００、４００のいずれか）に送出するステップ（ステップＳ１０２とステップＳ１０３）と、を含むものである。これにより、プレゼンテーターが表示装置間を移動することなく、他の表示装置への画面表示の切り替えや、表示したデータの編集を容易且つ直感的に行うことができる。
【００６２】
また、本実施の形態に係るマルチディスプレイの制御装置は、タッチパネル１０と表示部２０とを有するマスタ表示装置１００と、表示部を有する（少なくとも１つの）スレーブ表示装置２００、３００、４００と、マスタ表示装置１００およびスレーブ表示装置２００、３００、４００と接続して、マスタ表示装置１００のタッチパネル１０からの入力に基づいてマスタ表示装置１００およびスレーブ表示装置２００、３００、４００の表示に係る制御を行う制御装置１５０と、を備えるので、プレゼンテーターが表示装置間を移動することなく、他の表示装置への画面表示の切り替えや、表示したデータの編集を容易且つ直感的に行うことができる。
【図面の簡単な説明】
【００６３】
【図１】複数の表示装置を縦横に配置したマルチディスプレイの従来構成例を示す模式図である。
【図２】本発明の実施の形態に係るマルチディスプレイの制御装置を使用したマルチディスプレイの一例を示すブロック図である。
【図３】本発明の実施の形態に係るマルチディスプレイの制御装置の機能ブロック図である。
【図４】本発明の第１の実施形態に係るマルチディスプレイの制御方法における制御手順を示すフローチャートである。
【図５】図４のフローチャートに示す制御動作手順が実行された際のマスタ表示装置およびスレーブ表示装置の画面表示の変化の様子（ａ），（ｂ）を示す模式図である。
【図６】本発明の第２の実施形態に係るマルチディスプレイの制御方法における制御手順を示すフローチャートである。
【図７】図６のフローチャートに示す制御動作手順が実行された際のマスタ表示装置およびスレーブ表示装置の画面表示の変化の様子（ａ），（ｂ），（ｃ）を示す模式図である。
【図８】図６のフローチャートに示す制御動作手順が実行された際のマスタ表示装置およびスレーブ表示装置の画面表示の変化の様子（ａ），（ｂ），（ｃ）を示す模式図である。
【図９】本発明の第３の実施形態に係るマルチディスプレイの制御方法における制御手順を示すフローチャートである。
【図１０】図９のフローチャートに示す制御動作手順が実行された際のマスタ表示装置およびスレーブ表示装置の画面表示の変化の様子（ａ），（ｂ）を示す模式図である。
【図１１】本発明の第４の実施形態に係るマルチディスプレイの制御方法における制御手順を示すフローチャートである。
【図１２】図１１のフローチャートに示す制御動作手順が実行された際のマスタ表示装置およびスレーブ表示装置の画面表示の変化の様子（ａ），（ｂ），（ｃ）を示す模式図である。
【図１３】図１１のフローチャートに示す制御動作手順が実行された際のマスタ表示装置およびスレーブ表示装置の画面表示の変化の様子（ａ），（ｂ），（ｃ）を示す模式図である。
【図１４】画面上にＧＵＩアイコンを表示して画面表示の移動を実行する例を示す模式図である。
【図１５】タッチパネル上の特定の操作で画面表示の移動を実行する例を示す模式図である。
【図１６】タッチパネル上の特定の操作で画面表示の移動を実行する例を示す模式図である。
【符号の説明】
【００６４】
１０  タッチパネル
２０  表示部
１００  マスタ表示装置
１５０  制御装置
１５１  入力検知部
１５２  表示切替部
１５３  画像取得部
１５４  画像送出・送出停止部
１５５  表示最小化・最大化部
１５６  表示履歴記憶部
１５７  オペレーティングシステム
１５８  アプリケーション
２００，３００，４００  スレーブ表示装置
【図１】
2009198734.tif 000003
【図２】
2009198734.tif 000004
【図３】
2009198734.tif 000005
【図４】
2009198734.tif 000006
【図５】
2009198734.tif 000007
【図６】
2009198734.tif 000008
【図７】
2009198734.tif 000009
【図８】
2009198734.tif 000010
【図９】
2009198734.tif 000011
【図１０】
2009198734.tif 000012
【図１１】
2009198734.tif 000013
【図１２】
2009198734.tif 000014
【図１３】
2009198734.tif 000015
【図１４】
2009198734.tif 000016
【図１５】
2009198734.tif 000017
【図１６】
2009198734.tif 000018